(57)【要約】【課題】  視聴者の利便性が向上するチャンネル切替制御方法、コマーシャル終了通知方法、およびテレビ放送受信装置を提供する。【解決手段】  ＭＰＵ３は、同一チャンネルが連続して５分以上視聴された場合（Ｓ１）、そのチャンネルの番組を視聴番組であると判定し（Ｓ２）、視聴番組の番組情報を取得する。続いて、取得した番組情報に含まれるＣＭ情報をメモリ４に保存する（Ｓ３）。視聴番組がコマーシャルに入り（Ｓ４）、ユーザによって他のチャンネルに切替えられた場合（Ｓ５）、メモリ４から視聴番組のＣＭ情報を読み出す（Ｓ６）。次に、現在の時刻がＣＭ終了時刻に到達すると（Ｓ７）、元の視聴番組のチャンネルに切替える（Ｓ８）。したがって、視聴者がコマーシャル直後の見たいシーンを見逃すのが防止される。【選択図】        図２
2006279419.tif 000002
【特許請求の範囲】
【請求項１】
テレビ放送信号を受信するチューナの選択チャンネルの切替えを制御するチャンネル切替制御方法であって、
前記チューナの選択チャンネルが所定時間切替えられなかった場合に、そのチャンネルの番組を視聴番組であると判定する第１のステップ、および
前記視聴番組がコマーシャルに入った後に、前記チューナの選択チャンネルが他のチャンネルに切替えられた場合、前記視聴番組のコマーシャルが終了したことに応じて、前記チューナの選択チャンネルを前記視聴番組のチャンネルに強制的に切替える第２のステップを含む、チャンネル切替制御方法。
【請求項２】
前記第２のステップにおいて、前記チューナの選択チャンネルが他のチャンネルに切替えられた後、前記チューナの選択チャンネルが所定時間切替えられなかった場合は、前記視聴番組のコマーシャルが終了しても、前記チューナの選択チャンネルを前記視聴番組のチャンネルに切替えない、請求項１に記載のチャンネル切替制御方法。
【請求項３】
前記テレビ放送信号は、前記視聴番組のコマーシャルの開始時刻および終了時刻の情報を含むデジタル放送信号である、請求項１または請求項２に記載のチャンネル切替制御方法。
【請求項４】
視聴していた番組のコマーシャルが終了したことを視聴者に通知するコマーシャル終了通知方法であって、
テレビ放送信号を受信するチューナの選択チャンネルが所定時間切替えられなかった場合に、そのチャンネルの番組を視聴番組であると判定する第１のステップ、および
前記視聴番組がコマーシャルに入った後に、前記チューナの選択チャンネルが他のチャンネルに切替えられた場合、前記視聴番組のコマーシャルが終了したことに応じて、前記視聴番組のコマーシャルが終了したことを画面に表示させて視聴者に通知する第２のステップを含む、コマーシャル終了通知方法。
【請求項５】
前記第２のステップにおいて、前記チューナの選択チャンネルが他のチャンネルに切替えられた後、前記チューナの選択チャンネルが所定時間切替えられなかった場合は、前記視聴番組のコマーシャルが終了しても、前記視聴番組のコマーシャルが終了したことを視聴者に通知しない、請求項４に記載のコマーシャル終了通知方法。
【請求項６】
前記テレビ放送信号は、前記視聴番組のコマーシャルの開始時刻および終了時刻の情報を含むデジタル放送信号である、請求項４または請求項５に記載のコマーシャル終了通知方法。
【請求項７】
テレビ放送受信装置であって、
受信したテレビ放送信号から希望するチャンネルの信号を選択するチューナ、および
前記チューナの選択チャンネルが所定時間切替えられなかった場合に、そのチャンネルの番組を視聴番組であると判定し、前記視聴番組がコマーシャルに入った後に前記チューナの選択チャンネルが他のチャンネルに切替えられた場合、前記視聴番組のコマーシャルが終了したことに応じて、前記チューナの選択チャンネルを前記視聴番組のチャンネルに強制的に切替える制御部を備える、テレビ放送受信装置。
【請求項８】
テレビ放送受信装置であって、
受信したテレビ放送信号から希望するチャンネルの信号を選択するチューナ、および
前記チューナの選択チャンネルが所定時間切替えられなかった場合に、そのチャンネルの番組を視聴番組であると判定し、前記視聴番組がコマーシャルに入った後に前記チューナの選択チャンネルが他のチャンネルに切替えられた場合、前記視聴番組のコマーシャルが終了したことに応じて、前記視聴番組のコマーシャルが終了したことを画面に表示させて視聴者に通知する制御部を備える、テレビ放送受信装置。
【発明の詳細な説明】
【技術分野】
【０００１】
この発明は、チャンネル切替制御方法、コマーシャル終了通知方法、およびテレビ放送受信装置に関し、特に、テレビ放送信号を受信するチューナの選択チャンネルの切替えを制御するチャンネル切替制御方法、視聴していた番組のコマーシャルが終了したことを視聴者に通知するコマーシャル終了通知方法、およびテレビ放送受信装置に関する。
【背景技術】
【０００２】
従来より、テレビ放送の番組を録画する際に、音声信号などに基づいてコマーシャルを除いて録画する技術は用いられている。
【０００３】
下記の特許文献１には、番組途中にステレオモードのコマーシャルが挿入された場合には録画休止・解除の赤外線リモコン信号をテレビ受信機側より発光してＶＴＲに受光させ、該ＶＴＲにおける録画を該コマーシャルの間休止するようにしたＶＴＲ制御機能付カラーテレビ受信機が開示されている。これによると、モノラル音声または二重音声モードを本編とする番組途中のステレオモードのコマーシャルを録画カットすることができる。
【特許文献１】特開平５−１１０８９１号公報
【発明の開示】
【発明が解決しようとする課題】
【０００４】
あるチャンネルの放送番組を視聴している場合において、コマーシャルの間に他のチャンネルに切替えて、コマーシャルが終わった頃に元のチャンネルに戻すと、既にコマーシャルが終了していて見たかったシーンを見逃してしまうことがあった。最近の番組では、注目が集まるシーンや、視聴者が見たいと思うようなシーンをコマーシャルの後に放送することが多い。このため、視聴者がコマーシャル直後のシーンを見逃すと、悔しい思いをすることがあった。
【０００５】
それゆえに、この発明の主たる目的は、視聴者の利便性が向上するチャンネル切替制御方法、コマーシャル終了通知方法、およびテレビ放送受信装置を提供することである。
【課題を解決するための手段】
【０００６】
この発明に係わるチャンネル切替制御方法は、テレビ放送信号を受信するチューナの選択チャンネルの切替えを制御するチャンネル切替制御方法であって、チューナの選択チャンネルが所定時間切替えられなかった場合に、そのチャンネルの番組を視聴番組であると判定する第１のステップと、視聴番組がコマーシャルに入った後に、チューナの選択チャンネルが他のチャンネルに切替えられた場合、視聴番組のコマーシャルが終了したことに応じて、チューナの選択チャンネルを視聴番組のチャンネルに強制的に切替える第２のステップとを含む。
【０００７】
好ましくは、前記第２のステップにおいて、チューナの選択チャンネルが他のチャンネルに切替えられた後、チューナの選択チャンネルが所定時間切替えられなかった場合は、視聴番組のコマーシャルが終了しても、チューナの選択チャンネルを視聴番組のチャンネルに切替えない。
【０００８】
また好ましくは、前記テレビ放送信号は、視聴番組のコマーシャルの開始時刻および終了時刻の情報を含むデジタル放送信号である。
【０００９】
この発明に係わるコマーシャル終了通知方法は、視聴していた番組のコマーシャルが終了したことを視聴者に通知するコマーシャル終了通知方法であって、テレビ放送信号を受信するチューナの選択チャンネルが所定時間切替えられなかった場合に、そのチャンネルの番組を視聴番組であると判定する第１のステップと、視聴番組がコマーシャルに入った後に、チューナの選択チャンネルが他のチャンネルに切替えられた場合、視聴番組のコマーシャルが終了したことに応じて、視聴番組のコマーシャルが終了したことを画面に表示させて視聴者に通知する第２のステップとを含む。
【００１０】
好ましくは、前記第２のステップにおいて、チューナの選択チャンネルが他のチャンネルに切替えられた後、チューナの選択チャンネルが所定時間切替えられなかった場合は、視聴番組のコマーシャルが終了しても、視聴番組のコマーシャルが終了したことを視聴者に通知しない。
【００１１】
また好ましくは、前記テレビ放送信号は、視聴番組のコマーシャルの開始時刻および終了時刻の情報を含むデジタル放送信号である。
【００１２】
この発明に係わるテレビ放送受信装置は、受信したテレビ放送信号から希望するチャンネルの信号を選択するチューナと、チューナの選択チャンネルが所定時間切替えられなかった場合に、そのチャンネルの番組を視聴番組であると判定し、視聴番組がコマーシャルに入った後にチューナの選択チャンネルが他のチャンネルに切替えられた場合、視聴番組のコマーシャルが終了したことに応じて、チューナの選択チャンネルを視聴番組のチャンネルに強制的に切替える制御部とを備えたものである。
【００１３】
この発明に係わる他のテレビ放送受信装置は、受信したテレビ放送信号から希望するチャンネルの信号を選択するチューナと、チューナの選択チャンネルが所定時間切替えられなかった場合に、そのチャンネルの番組を視聴番組であると判定し、視聴番組がコマーシャルに入った後にチューナの選択チャンネルが他のチャンネルに切替えられた場合、視聴番組のコマーシャルが終了したことに応じて、視聴番組のコマーシャルが終了したことを画面に表示させて視聴者に通知する制御部とを備えたものである。
【発明の効果】
【００１４】
この発明の請求項１ないし請求項３に記載のチャンネル切替制御方法によれば、視聴番組がコマーシャルに入った後に、ユーザによってチューナの選択チャンネルが他のチャンネルに切替えられた場合、視聴番組のコマーシャルが終了したときに、元の視聴番組のチャンネルに強制的に切替えられる。したがって、視聴者がコマーシャル直後の見たいシーンを見逃すのが防止され、視聴者の利便性が向上する。
【００１５】
この発明の請求項４ないし請求項６に記載のコマーシャル終了通知方法によれば、視聴番組がコマーシャルに入った後に、ユーザによってチューナの選択チャンネルが他のチャンネルに切替えられた場合、視聴番組のコマーシャルが終了したときに、視聴者にコマーシャル終了が通知される。この場合も、視聴者がコマーシャル直後の見たいシーンを見逃すのが防止され、視聴者の利便性が向上する。
【００１６】
この発明の請求項７または請求項８に記載のテレビ放送受信装置によれば、視聴者がコマーシャル直後の見たいシーンを見逃すのが防止され、視聴者の利便性が向上する。
【発明を実施するための最良の形態】
【００１７】
［実施の形態１］
図１は、この発明の実施の形態１によるテレビ放送受信装置の概略構成を示すブロック図である。図１において、このテレビ放送受信装置は、チューナ１と、信号処理回路２と、ＭＰＵ（マイクロ・プロセッサ・ユニット）３と、メモリ４と、ディスプレイ５と、操作部６とを備える。
【００１８】
チューナ１は、アンテナ（図示せず）で受信されたデジタル放送（たとえば地上波デジタル放送）信号を受け、希望するチャンネルの信号を抽出する。信号処理回路２は、チューナ１から出力された映像信号および音声信号を復調してディスプレイ５に表示させる。また、チューナ１は、デジタル放送信号に含まれる番組情報（番組名、放送時間、出演者リスト、あらすじ、ＣＭ情報など）およびチャンネル情報を信号処理回路２に与える。
【００１９】
ユーザは、装置本体またはリモコンの操作部６のボタンを操作する。ＭＰＵ３は、ユーザの操作に応じて、テレビ放送受信装置の全体制御を行なう。具体的には、信号処理回路２から番組情報を取得し、その番組情報に含まれるＣＭ（コマーシャル）情報をメモリ４に保存する。また、メモリ４に保存されたＣＭ情報に基づいて、チューナ１の選択チャンネルの切替えを行なう。また、ＭＰＵ３は、ユーザの操作に応じて、信号処理回路２に与えられた外部入力信号をディスプレイ５に表示させるように信号処理回路２の出力信号を切替える制御も行なう。
【００２０】
図２は、図１に示したテレビ放送受信装置の動作について説明するためのフローチャートである。ユーザは、操作部６のボタンを操作して、視聴したい番組を探してチャンネルを切替える。ステップＳ１において、ＭＰＵ３は、同一チャンネルが連続して５分以上視聴されたか否かを判定する。この動作はチャンネルが切替えられる度に実行され、同じチャンネルが連続して５分以上視聴されるまでは、次のステップに進まない。同一チャンネルが連続して５分以上視聴されると、ステップＳ２に進み、そのチャンネル（たとえば８チャンネル）の番組を視聴したい番組（視聴番組）であると判定し、視聴番組の番組情報（番組名、放送時間、出演者リスト、あらすじ、ＣＭ情報など）およびチャンネル情報を取得する。続いて、ステップＳ３において、取得した番組情報に含まれるＣＭ情報をメモリ４に保存する。
【００２１】
図３は、デジタル放送信号に含まれる番組情報の内容を示す図である。図３において、番組情報には、その番組名、放送時間（たとえば１９：００〜２０：００）、出演者リスト、あらすじ（この番組は、・・・クイズ形式の番組です）、ＣＭ情報（たとえば１９：１５：２０〜１９：１７：０８，１９：３５：３４〜１９：３７：２３，１９：５０：００〜１９：５９：５９）などが含まれる。このように、コマーシャルの開始時刻および終了時刻などの情報がＣＭ情報として与えられる。
【００２２】
図２に戻って、ＭＰＵ３は、ステップＳ４において視聴番組がコマーシャルに入ったと判定すると、ステップＳ５に進み、ユーザによってチャンネルが切替えられたか否かを判定する。ここで、チャンネルが切替えられなければ、次のステップには進まない。視聴番組がコマーシャルに入った後、ユーザによって他のチャンネル（たとえば１０チャンネル）に切替えられた場合、ステップＳ６に進み、メモリ４から視聴番組のＣＭ情報を読み出す。
【００２３】
次に、ステップＳ７において、ＭＰＵ３は、現在の時刻がＣＭ終了時刻に到達したか否かを判定する。ＣＭ終了時刻に到達した場合は、ステップＳ８に進み、チューナ１の選択チャンネルを元の視聴番組のチャンネル（たとえば８チャンネル）に切替える。
【００２４】
一方、ＣＭ終了時刻に到達していない場合は、ステップＳ７からステップＳ９に進み、同一チャンネルが連続して５分以上視聴されたか否かを判定する。同一チャンネルが連続して５分以上視聴されていなければ、ステップＳ７に戻り、ステップＳ７およびステップＳ９の動作を繰返す。ステップＳ９において、コマーシャルが５分以上ある場合に同一チャンネルが連続して５分以上視聴されると、ステップＳ２に戻り、そのチャンネルの番組を視聴したい番組（視聴番組）であると判定した後、同様の動作を繰返す。
【００２５】
なお、ここでは、ステップＳ１およびステップＳ９において、それぞれ判定基準時間を５分としたが、判定基準時間は任意に設定変更できるものとする。また、上述したＭＰＵ３のＣＭ終了時刻にチューナ１の選択チャンネルを元の視聴番組のチャンネルに切替える機能はオン／オフ設定可能であり、ユーザは操作部６のボタンを操作してオン／オフ設定を切替えることができる。
【００２６】
したがって、この実施の形態１では、視聴者がコマーシャル直後の見たいシーンを見逃すのが防止され、視聴者の利便性が向上する。
【００２７】
［実施の形態２］
図４は、この発明の実施の形態２によるテレビ放送受信装置の動作について説明するためのフローチャートである。図４において、ステップＳ１１からステップＳ１５までの動作は、図２に示したステップＳ１からステップＳ５までの動作と同じであるため、ここではその詳細説明を省略する。
【００２８】
視聴番組がコマーシャルに入った後、ユーザによって視聴番組のチャンネル（たとえば８チャンネル）から他のチャンネル（たとえば１０チャンネル）に切替えられた場合、ステップＳ１５からステップＳ１６に進む。ステップＳ１６において、ＭＰＵ３は、ディスプレイ５に「ＣＭ中」と表示させるとともに、メモリ４から視聴番組のＣＭ情報を読み出す。
【００２９】
次に、ステップＳ１７において、ＭＰＵ３は、現在の時刻がＣＭ終了時刻に到達したか否かを判定する。ＣＭ終了時刻に到達した場合は、ステップＳ１８に進み、ディスプレイ５の「ＣＭ中」表示を消して、所定時間だけ「ＣＭ終了」と表示させる。
【００３０】
一方、ＣＭ終了時刻に到達していない場合は、ステップＳ１７からステップＳ１９に進み、同一チャンネルが連続して５分以上視聴されたか否かを判定する。同一チャンネルが連続して５分以上視聴されていなければ、ステップＳ１７に戻り、ステップＳ１７およびステップＳ１９の動作を繰返す。ステップＳ１９において、コマーシャルが５分以上ある場合に同一チャンネルが連続して５分以上視聴されると、ステップＳ２０に進み、「ＣＭ中」の表示を消す。続いて、ステップＳ１２に戻り、そのチャンネルの番組を視聴したい番組（視聴番組）であると判定した後、同様の動作を繰返す。
【００３１】
したがって、この実施の形態２では、実施の形態１の場合と同様に、視聴者がコマーシャル直後の見たいシーンを見逃すのが防止され、視聴者の利便性が向上する。ただし、この実施の形態２では、視聴番組のコマーシャルが終了したことに応じて、「ＣＭ中」表示から「ＣＭ終了」表示に切換わるだけであり、実施の形態１のようにチャンネルが自動的に切替えられることはない。たとえば、視聴番組のコマーシャル中にユーザが他のチャンネルに切替えた後、そのままそのチャンネルの方を見続けたいと思うこともあるため有効である。
【００３２】
また、ここでも、ステップＳ１１およびステップＳ１９において、それぞれ判定基準時間を５分としたが、判定基準時間は任意に設定変更できるものとする。
【００３３】
［実施の形態３］
図５は、この発明の実施の形態３によるテレビ放送受信装置の概略構成を示すブロック図である。図５において、このテレビ放送受信装置は、チューナ１１，１２と、信号処理回路１３，１４と、ＭＰＵ（マイクロ・プロセッサ・ユニット）１５と、ディスプレイ１６と、操作部１７とを備える。
【００３４】
チューナ１１，１２は、それぞれアンテナ（図示せず）で受信されたアナログ放送（たとえば地上波アナログ放送）信号を受け、希望するチャンネルの信号を抽出する。チューナ１１は番組視聴用のチューナであり、チューナ１２はＣＭ状態確認用のチューナである。
【００３５】
信号処理回路１３は、チューナ１１から出力された映像信号および音声信号を復調してディスプレイ１６に表示させる。信号処理回路１４は、チューナ１２から出力された音声信号を復調してＭＰＵ１５に与える。
【００３６】
ユーザは、装置本体またはリモコンの操作部１７のボタンを操作する。ＭＰＵ１５は、ユーザの操作に応じて、テレビ放送受信装置の全体制御を行なう。具体的には、チューナ１１，１２の選択チャンネルの切替え、信号処理回路１４からの音声信号に基づいてコマーシャル中であるか否かの判定などを行なう。
【００３７】
図６は、図５に示したテレビ放送受信装置の動作について説明するためのフローチャートである。ユーザは、操作部１７のボタンを操作して、視聴したい番組を探してチャンネルを切替える。これに応じて、番組視聴用のチューナ１１の選択チャンネルが切替えられる。ステップＳ２１において、ＭＰＵ１５は、同一チャンネルが連続して５分以上視聴されたか否かを判定する。この動作はチャンネルが切替えられる度に実行され、同じチャンネルが連続して５分以上視聴されるまでは、次のステップに進まない。同一チャンネルが連続して５分以上視聴されると、ステップＳ２２に進み、そのチャンネル（たとえば８チャンネル）の番組を視聴したい番組（視聴番組）であると判定する。このとき、ＭＰＵ１５は、ＣＭ状態確認用のチューナ１２の選択チャンネルをチューナ１１の選択チャンネル（視聴番組のチャンネル）と同じチャンネルにする。次に、ステップＳ２３において、信号処理回路１４からの音声信号に基づいて、視聴番組がコマーシャルに入ったか否かを判定する。
【００３８】
たとえば、視聴番組がモノラル音声または二重音声モードの番組である場合、ステレオモードのコマーシャルが挿入されたことに応じて、視聴番組がコマーシャル中であるか否かが判定可能である。また、コマーシャルの音声レベルは通常の番組の音声レベルよりも高いことが多いことを利用しても、視聴番組がコマーシャル中であるか否かが判定可能である。
【００３９】
ＭＰＵ１５は、ステップＳ２３において視聴番組がコマーシャルに入ったと判定すると、ステップＳ２４に進み、ユーザによってチャンネルが切替えられたか否かを判定する。ここで、チャンネルが切替えられなければ、次のステップには進まない。視聴番組がコマーシャルに入った後、ユーザによって他のチャンネル（たとえば１０チャンネル）に切替えられた場合、ステップＳ２５に進む。ここで、ＣＭ状態確認用のチューナ１２は、視聴番組のチャンネルを選択したままである。
【００４０】
次に、ステップＳ２５において、ＭＰＵ１５は、信号処理回路１４からの音声信号に基づいて、視聴番組のコマーシャルが終了したか否かを判定する。視聴番組のコマーシャルが終了した場合は、ステップＳ２６に進み、チューナ１１の選択チャンネルを元の視聴番組のチャンネル（たとえば８チャンネル）に切替える。
【００４１】
一方、視聴番組のコマーシャルが終了していない場合は、ステップＳ２５からステップＳ２７に進み、同一チャンネルが連続して５分以上視聴されたか否かを判定する。同一チャンネルが連続して５分以上視聴されていなければ、ステップＳ２５に戻り、ステップＳ２５およびステップＳ２７の動作を繰返す。ステップＳ２７において、コマーシャルが５分以上ある場合に同一チャンネルが連続して５分以上視聴されると、ステップＳ２２に戻り、そのチャンネルの番組を視聴したい番組（視聴番組）であると判定した後、同様の動作を繰返す。
【００４２】
なお、ここでは、ＭＰＵ１５が音声信号に基づいて視聴番組がコマーシャル中であるか否かを判定する場合について説明したが、インターフェース（図示せず）を介して外部からＭＰＵ１５にＣＭ情報を与えてもよい。
【００４３】
したがって、この実施の形態３では、実施の形態１の場合と同様に、視聴者がコマーシャル直後の見たいシーンを見逃すのが防止され、視聴者の利便性が向上する。
【００４４】
なお、アナログ放送を受信するテレビ放送受信装置においても、実施の形態２に示した場合と同様に、ＭＰＵ１５がチューナの選択チャンネルを切替える制御をする代わりに、「ＣＭ中」表示および「ＣＭ終了」表示をするようにしてもよい。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】この発明の実施の形態１によるテレビ放送受信装置の概略構成を示すブロック図である。
【図２】図１に示したテレビ放送受信装置の動作について説明するためのフローチャートである。
【図３】デジタル放送信号に含まれる番組情報の内容を示す図である。
【図４】この発明の実施の形態２によるテレビ放送受信装置の動作について説明するためのフローチャートである。
【図５】この発明の実施の形態３によるテレビ放送受信装置の概略構成を示すブロック図である。
【図６】図５に示したテレビ放送受信装置の動作について説明するためのフローチャートである。
【符号の説明】
【００４７】
１，１１，１２  チューナ、２，１３，１４  信号処理回路、３，１５  ＭＰＵ、４  メモリ、５，１６  ディスプレイ、６，１７  操作部。
【図１】
2006279419.tif 000003
【図２】
2006279419.tif 000004
【図３】
2006279419.tif 000005
【図４】
2006279419.tif 000006
【図５】
2006279419.tif 000007
【図６】
2006279419.tif 000008